(57)【要約】【課題】  フィルターの取り換え作業を不断水で能率良く容易に行う。【解決手段】  流体管１の一部に、管軸芯Ｘ方向に対して交差する方向に開口する接続筒部７Ａが形成され、この接続筒部７Ａの開口７ａを開閉する操作弁８には、流体中の夾雑物を除去するフィルター２を密封状態で収納する収納ケース１０が取付けられ、収納ケース１０には、操作弁８の通路８ａ及び接続筒部７Ａの開口７ａを通して、フィルター２を夾雑物除去作用位置と収納ケース１０内の収納位置とに亘って切り替え移動させる移動操作手段Ａが設けられ、更に、収納ケース１０の開口部１０ａが操作弁８の通路８ａに連通接続された連結状態と、収納ケース１０の開口部１０ａを通してフィルター２を外部に抜き出し可能な開放状態に揺動切り替え自在な脱着操作手段Ｂが設けられている。【選択図】        図３
2005083490.tif 000002
【特許請求の範囲】
【請求項１】
流体管の一部に、管軸芯方向に対して交差する方向に開口する接続筒部が形成され、この接続筒部の開口を開閉する操作弁には、流体管内を流動する流体中の夾雑物を除去するフィルターを密封状態で収納する収納ケースが取付けられているとともに、収納ケースには、操作弁の通路及び接続筒部の開口を通して、フィルターを流体管内の夾雑物除去作用位置と収納ケース内の収納位置とに亘って切り替え移動させる移動操作手段が設けられ、更に、収納ケースの一端側に形成された開口部が操作弁の通路に連通接続された連結状態と、収納ケースの開口部を通してフィルターを外部に抜き出し可能な開放状態に揺動切り替え自在な脱着操作手段が設けられている流体管用夾雑物除去装置。
【請求項２】
前記脱着操作手段が、収納ケースの一端部を操作弁に対して起伏揺動自在に枢着するヒンジ機構と、収納ケースの一端側の開口部を開閉弁の通路に連通接続した状態で固定する固定操作機構から構成されている請求項１記載の流体管用夾雑物除去装置。
【請求項３】
前記流体管の一部及び収納ケースには、フィルターを脱着自在に保持する可動保持枠を夾雑物除去作用位置と収納位置とに亘って移動案内するガイド手段が設けられている請求項１又は２記載の流体管用夾雑物除去装置。
【請求項４】
前記収納ケースと操作弁又は流体管の一部とに亘って、開閉弁を備えたバイパス管が接続されている請求項１〜３のいずれか１項に記載の流体管用夾雑物除去装置。
【請求項５】
前記流体管の一部が、管軸芯方向の両端部に連結フランジを備えた処理管であって、この処理管の管軸芯方向の中間部には、管軸芯方向に対して交差する上下両側方に開口する接続筒部が形成され、上方側の接続筒部には操作弁が装着されているとともに、下方側の接続筒部には、夾雑物除去作用位置にあるフィルターの上流側底部に堆積した堆積物を管外に排出する堆積物排出手段が設けられている請求項１〜４のいずれか１項に記載の流体管用夾雑物除去装置。
【請求項６】
前記フィルターが装着される可動保持枠には、フィルターを挾持する二つ折り姿勢とフィルターの脱着を許容する展開姿勢とに切り替え揺動可能な挾持枠を抜き差し自在に保持するガイド溝が形成されている請求項１〜５のいずれか１項に記載の流体管用夾雑物除去装置。
【請求項７】
前記フィルターが装着される可動保持枠には、フィルターを脱着自在に挾持する挾持枠の二枚を抜き差し自在に保持するガイド溝が形成されているとともに、前記移動操作手段が、収納ケースに螺合されたネジ軸と、これの先端側が螺合可能な状態で可動保持枠に設けられる雌ネジ部材から構成され、更に、可動保持枠に保持された両挾持枠のフィルターの隣接間には、可動保持枠の収納ケース内への移動に連れてネジ軸の先端側が移入自在な空間が形成されている請求項１〜５のいずれか１項に記載の流体管用夾雑物除去装置。
【発明の詳細な説明】
【技術分野】
【０００１】
本発明は、水道管等の流体管内を流動する流体中に混在する砂や管内周面のライニング層から剥離した剥離片等の夾雑物を除去するためのフィルターを備えた流体管用夾雑物除去装置に関する。
【背景技術】
【０００２】
従来の流体管用夾雑物除去装置では、流体管の途中にフランジ連結される処理管の途中に、管軸芯方向に対して直交する上方に開口する接続筒部が形成され、この接続筒部の開口を開閉する操作弁には、流体管内を流動する流体中の夾雑物を除去するフィルターを密封状態で収納する収納ケースが、それの一端側に形成された開口部を操作弁の通路に連通接続させた状態でボルトを介して脱着可能に締付け固定されているとともに、収納ケースには、操作弁の通路及び接続筒部の開口を通して、フィルターを流体管内の夾雑物除去作用位置と収納ケース内の収納位置とに亘って切り替え移動させる移動操作手段が設けられている（特許文献１参照）。
【０００３】
【特許文献１】特許第３２４１９３４号公報
【発明の開示】
【発明が解決しようとする課題】
【０００４】
従来の流体管用夾雑物除去装置では、管内の夾雑物除去作用位置に装着されたフィルターに目詰まりが発生して新たなフィルターと交換する必要が生じた場合、移動操作手段を操作して、夾雑物除去作用位置にあるフィルターを収納ケース内の収納位置にまで移動させるとともに、操作弁を操作して接続筒部の開口を閉止したのち、操作弁と収納ケースとを固定しているボルトを取外し、収納ケースを流体管脇等の空きスペースに移動してフィルターを取り替える。
【０００５】
そのため、フィルターの取り換え作業を不断水で行うことができるものの、収納ケースの固定解除操作や空きスペースへの移動に手間取り易く、フィルターの取り換え作業時間が長くなるため、それに連れて夾雑物を除去できない時間も長くなる。
本発明は、上述の実状に鑑みて為されたものであって、その主たる課題は、フィルターの取り換え作業を不断水で能率良く容易に行うことのできる流体管用夾雑物除去装置を提供する点にある。
【課題を解決するための手段】
【０００６】
本発明の請求項１による流体管用夾雑物除去装置の特徴構成は、流体管の一部に、管軸芯方向に対して交差する方向に開口する接続筒部が形成され、この接続筒部の開口を開閉する操作弁には、流体管内を流動する流体中の夾雑物を除去するフィルターを密封状態で収納する収納ケースが取付けられているとともに、収納ケースには、操作弁の通路及び接続筒部の開口を通して、フィルターを流体管内の夾雑物除去作用位置と収納ケース内の収納位置とに亘って切り替え移動させる移動操作手段が設けられ、更に、収納ケースの一端側に形成された開口部が操作弁の通路に連通接続された連結状態と、収納ケースの開口部を通してフィルターを外部に抜き出し可能な開放状態に揺動切り替え自在な脱着操作手段が設けられている点にある。
【０００７】
上記特徴構成によれば、管内の夾雑物除去作用位置に装着されたフィルターに目詰まりが発生して新たなフィルターと交換する必要が生じた場合、移動操作手段を操作して、夾雑物除去作用位置にあるフィルターを収納ケース内の収納位置にまで移動させるとともに、操作弁を操作して接続筒部の開口を閉止したのち、脱着操作手段によって、収納ケースの開口部が操作弁の通路に連通接続された連結状態から収納ケースの開口部が外部に臨む開放状態に切り替え揺動させることにより、収納ケース内に収納されているフィルターを収納ケースの開口部から外部にスムーズに抜き出すことができる。
【０００８】
従って、収納ケースを操作弁から取外す場合に比して固定解除又は固定のための操作が少なくなり、しかも、収納ケースを操作弁に対して揺動操作するだけであるから、従来のように収納ケースを空きスペースに一々移動させる手間が不要で、フィルターの取り換え作業を不断水で能率良く容易に行うことができる。
【０００９】
本発明の請求項２による流体管用夾雑物除去装置の特徴構成は、前記脱着操作手段が、収納ケースの一端部を操作弁に対して起伏揺動自在に枢着するヒンジ機構と、収納ケースの一端側の開口部を開閉弁の通路に連通接続した状態で固定する固定操作機構から構成されている点にある。
【００１０】
上記特徴構成によれば、操作弁に対して収納ケースの一端部がリンク機構を介して起伏揺動自在に枢着されているから、収納ケースの中間又は他端側を支点として起伏揺動自在に構成する場合に比して構造の簡素化を図りながら、フィルターの取り換え作業を不断水で能率良く容易に行うことができる。
【００１１】
本発明の請求項３による流体管用夾雑物除去装置の特徴構成は、前記流体管の一部及び収納ケースに、フィルターを脱着自在に保持する可動保持枠を夾雑物除去作用位置と収納位置とに亘って移動案内するガイド手段が設けられている点にある。
【００１２】
上記特徴構成によれば、管内の夾雑物除去作用位置にあるフィルターを収納ケース内の収納位置に移動させる場合、或いは、収納ケース内の収納位置にある新しいフィルターを管内の夾雑物除去作用位置に移動させる場合、流体管の一部及び収納ケースに設けたガイド手段によってスムーズに移動させることができるとともに、流体に対する夾雑物除去作用位置でのフィルターの位置保持機能を高めることができる。
【００１３】
本発明の請求項４による流体管用夾雑物除去装置の特徴構成は、前記収納ケースと操作弁又は流体管の一部とに亘って、開閉弁を備えたバイパス管が接続されている点にある。
【００１４】
上記特徴構成によれば、収納ケース内の収納位置にある新しいフィルターを管内の夾雑物除去作用位置に移動させる場合、操作弁が閉止されている状態でバイパス管の開閉弁を開き操作すると、管内の流体の一部がバイパス管を通して収納ケース内に流入して、収納ケース内の圧力が管内の圧力と等しい又は略等しい圧力まで上昇するから、操作弁の開き操作を少ない労力で容易に行うことができる。
【００１５】
本発明の請求項５による流体管用夾雑物除去装置の特徴構成は、前記流体管の一部が、管軸芯方向の両端部に連結フランジを備えた処理管であって、この処理管の管軸芯方向の中間部には、管軸芯方向に対して交差する上下両側方に開口する接続筒部が形成され、上方側の接続筒部には操作弁が装着されているとともに、下方側の接続筒部には、夾雑物除去作用位置にあるフィルターの上流側底部に堆積した堆積物を管外に排出する堆積物排出手段が設けられている点にある。
【００１６】
上記特徴構成によれば、処理管に形成された上下の接続筒部のうち、上方側の接続筒部には操作弁及び収納ケースを装着して、流体中の夾雑物を除去するフィルターを不断水で容易に取り替えられるように構成しながらも、下方側の接続筒部に設けられた堆積物排出手段を操作することにより、フィルターで塞き止められてそれの上流側底部に堆積した堆積物を流体の一部を利用して管外に確実、スムーズに排出することができる。
【００１７】
本発明の請求項６による流体管用夾雑物除去装置の特徴構成は、前記フィルターが装着される可動保持枠に、フィルターを挾持する二つ折り姿勢とフィルターの脱着を許容する展開姿勢とに切り替え揺動可能な挾持枠を抜き差し自在に保持するガイド溝が形成されている点にある。
【００１８】
上記特徴構成によれば、新しいフィルターに取り替える場合、展開姿勢にある挾持枠にフィルターを載置し、挾持枠を二つ折り姿勢に閉じ揺動操作するだけで、フィルターを挾持枠に取付けることができ、更に、このフィルターを挾持した挾持枠を、可動保持枠のガイド溝に沿って差込み移動させるだけで、フィルターを可動保持枠の所定位置にセットすることができるから、フィルターの取り換え作業の能率化、容易化を促進することができる。
【００１９】
本発明の請求項７による流体管用夾雑物除去装置の特徴構成は、前記フィルターが装着される可動保持枠には、フィルターを脱着自在に挾持する挾持枠の二枚をそれぞれ抜き差し自在に保持するガイド溝が形成されているとともに、前記移動操作手段が、収納ケースに螺合されたネジ軸と、これの先端側が螺合可能な状態で可動保持枠に設けられる雌ネジ部材から構成され、更に、可動保持枠に保持された両挾持枠のフィルターの隣接間には、可動保持枠の収納ケース内への移動に連れてネジ軸の先端側が移入自在な空間が形成されている点にある。
【００２０】
上記特徴構成によれば、フィルターを挾持した挾持枠を、可動保持枠のガイド溝に沿って差込み移動させるだけで、フィルターを可動保持枠の所定位置にセットすることができるとともに、並設される二枚のフィルターで夾雑物を効率良く除去することができる。しかも、管内の夾雑物除去作用位置にあるフィルターを収納ケース内の収納位置に移動させるとき、移動操作手段の回転操作に連れてネジ軸の先端側が、両挾持枠のフィルターの隣接間に形成されている空間内に移入するから、ネジ軸が収納ケースの外方に大きく張り出すことがなく、収納ケースの切り替え揺動をスペース面で有利に行うことができる。
【発明を実施するための最良の形態】
【００２１】
〔第１実施形態〕
図１〜図６は、流体管の一例である水道管１内を流動する上水（流体）中に混在する砂や管内周面のライニング層から剥離した剥離片等の夾雑物を除去するためのフィルター２を備えた流体管用夾雑物除去装置を示し、隣接する水道管１の連結フランジ部１Ａに対して管軸芯Ｘ方向からボルト３・ナット４等の締結手段で固定連結可能な連結フランジ部５Ａを両端に備えた処理管５の管軸芯Ｘ方向中間部に、これの外径よりも大きな内径の夾雑物除去室６を有し、かつ、管軸芯Ｘ方向に対して直交（交差）する上下両側方に開口する一対の接続筒部７Ａ、７Ｂを備えた円筒状の除去処理筒体７が一体形成されている。
【００２２】
上方側の接続筒部７Ａの連結フランジ部７Ｃには、それの筒軸芯Ｙ方向に対して直交する水平方向にスライド移動する弁体８Ａで接続筒部７Ａの開口７ａを開閉する操作弁８の弁箱８Ｂがボルト３等の締結手段で固定連結され、この操作弁８の上面側には、水道管１内を流動する上水中の夾雑物を除去するフィルター２を密封状態で収納する収納ケース１０が取付けられている。
【００２３】
収納ケース１０には、操作弁８の通路８ａ及び上方側接続筒部７Ａの開口７ａを通して、フィルター２を管内の夾雑物除去作用位置と収納ケース１０内の収納位置とに亘って切り替え移動させる移動操作手段Ａが設けられているとともに、収納ケース１０の一端（下端）側に形成された開口部１０ａが操作弁８の通路８ａに連通接続された連結状態と、収納ケース１０の開口部１０ａを通してフィルター２を外部に抜き出し可能な開放状態に揺動切り替え自在な脱着操作手段Ｂが設けられている。
【００２４】
また、下方側の接続筒部７Ｂの連結フランジ部７Ｄには、図１〜図４に示すように、夾雑物除去作用位置にあるフィルター２で区画形成される夾雑物除去室６の上流側分割室６Ａに連通する排水管１１を備えた底板１２がボルト３・ナット４等の締結手段で固定連結されているとともに、排水管１１の連結フランジ部１１Ａには、除去処理筒体７の横一側脇位置において上方に開口するカップリング１３及びボールバルブ（開閉弁の一例）１４を備えた略Ｕ字状に迂回する導水管１５の連結フランジ部１５Ａがボルト３・ナット４等の締結手段で固定連結されている。
【００２５】
そして、図４に示すように、排水管１１と導水管１５及びカップリング１３、ボールバルブ１４をもって、夾雑物除去作用位置にあるフィルター２の上流側底部に堆積した堆積物を管外に排出するための堆積物排出手段Ｃが構成されているとともに、カップリング１３がホース等に対する接続口部に構成されている。
【００２６】
更に、図２、図５に示すように、処理管５の除去処理筒体７の内面と収納ケース１０の内面には、フィルター２を脱着自在に保持する可動保持枠１７を夾雑物除去作用位置と収納位置とに亘って上下方向に移動案内するガイド手段Ｄが設けられているとともに、可動保持枠１７には、フィルター２を挾持する二つ折り姿勢とフィルター２の脱着を許容する展開姿勢とに切り替え揺動可能な格子状の挾持枠１８の２個をそれぞれ抜き差し自在に保持するガイド溝１９が形成されている。
【００２７】
挾持枠１８は、図６に示すように、プランクトンネットや不織布、繊維等で構成されるフィルター２を水圧に抗して所定装着姿勢で保持可能な比較的目の細かい格子状の受け枠体１８Ａと、この受け枠体１８Ａとの間でフィルター２を挾持する目の粗い格子状の押え枠体１８Ｂとを、左右一対のヒンジ部１８Ｃで枢支連結して、受け枠体１８Ａと押え枠体１８Ｂとが重合する二つ折り姿勢と両枠体１８Ａ，１８Ｂが略一直線状に展開する展開姿勢とに揺動切り替え自在に構成されている。
【００２８】
この挾持枠１８を可動保持枠１７のガイド溝１９に装着する場合には、ヒンジ部１８Ｃが上方に位置し、かつ、比較的目の細かい受け枠体１８Ａが下流側に位置する状態で差込み装着し、また、このガイド溝１９への差込み装着により、両枠体１８Ａ，１８Ｂが二つ折り姿勢に保持されることになる。
【００２９】
また、可動保持枠１７の下端部には、図５に示すように、ガイド溝１９に差込み装着された挾持枠１８の抜け出し移動を接当阻止するロック状態と、挾持枠１８の抜き差し移動を許容するロック解除状態とに回動切り替え可能なロック部材２０が設けられている。
【００３０】
ガイド手段Ｄは、可動保持枠１７の左右縦枠部１７Ｂの外面に形成された上下方向に沿うガイド突起３３と、これが上下方向に移動自在に嵌合する状態で処理管５の除去処理筒体７の内面及び収納ケース１０の内面に形成されたガイド溝３４とから構成されている。
【００３１】
移動操作手段Ａを構成するに、収納ケース１０の天井壁部１０ｂに設けた軸受け部２１に、回転操作用ハンドル２２を上端に備えたネジ軸２３を筒軸芯Ｙ周りで回転のみ自在に取り付けるとともに、可動保持枠１７の上側横枠部１７Ａには、ネジ軸２３に螺合する雌ネジ部材２４が固着されている。
【００３２】
可動保持枠１７の上側横枠部１７Ａに固着された軸受け部２１の軸芯は、可動保持枠１７の両ガイド溝１９に差込み装着された両挾持枠１８の対向面間中央位置に臨むように配置されていて、両挾持枠１８に挾持されたフィルター２の隣接間には、可動保持枠１７の収納ケース１０内への上昇移動に連れてネジ軸２３の先端側が移入自在な空間２５が形成されている。
【００３３】
そのため、管内の夾雑物除去作用位置にあるフィルター２を収納ケース１０内の収納位置に移動させるとき、換言すれば、管内の夾雑物除去作用位置にある可動保持枠１７を収納ケース１０内の収納位置に上昇移動させるとき、移動操作手段Ａのハンドル２２の回転操作に連れてネジ軸２３の先端側が、両挾持枠１８のフィルター２の隣接間に形成されている空間２５内に移入するから、ネジ軸２３が収納ケース１０の外方に大きく張り出すことがなく、収納ケース１０の切り替え揺動をスペース面で有利に行うことができる。
【００３４】
脱着操作手段Ｂは、図１〜図５に示すように、収納ケース１０の一端部（下端部）を操作弁８に対して起伏揺動自在に枢着するヒンジ機構Ｂ１と、収納ケース１０の一端側（下端側）の開口部１０ａを操作弁８の通路８ａに連通接続した状態で固定する固定操作機構Ｂ２から構成されている。
【００３５】
ヒンジ機構Ｂ１を構成するに、操作弁８の弁箱８Ｂの上面には左右一対の取付けブラケット２７が形成され、これら両取付けブラケット２７に亘って、収納ケース１０の開口部１０ａに形成された鍔部１０ｄの周縁うち、一方の長辺側に設けられたボス部１０ｃを枢支軸２８周りで起伏揺動に枢支連結されている。
【００３６】
固定操作機構Ｂ２を構成するに、操作弁８の弁箱８Ｂの上面には、収納ケース１０の鍔部１０ｄの外側縁うち、ボス部１０ｃ側を除く三側辺に対向する状態で複数のブロック状の雌ネジ部材３０が形成されているとともに、各雌ネジ部材３０に形成された水平方向に沿うネジ孔には、収納ケース１０の開口部１０ａが操作弁８の通路８ａに連通接続されているとき、収納ケース１０の鍔部１０ｄの上面に当接可能なテーパー状の押え面を有し、かつ、その押え面が鍔部１０ｄの上面に当接している状態での螺合操作に連れて収納ケース１０の開口部１０ａを弁箱８Ｂの上面側に押圧固定する固定ボルト３１が螺合されている。
【００３７】
そして、管内の夾雑物除去作用位置に装着されたフィルター２に目詰まりが発生して新たなフィルター２と交換する必要が生じた場合、移動操作手段Ａのハンドル２２を回転操作して、夾雑物除去作用位置にある可動保持枠１７を収納ケース１０内の収納位置にまで上昇移動させるとともに、操作弁８のハンドル８Ｃを操作して接続筒部７Ａの開口７ａを閉止する。
【００３８】
次に、脱着操作手段Ｂの固定操作機構Ｂ２を構成する各固定ボルト３１を弛み側に螺合操作して固定を解除したのち、脱着操作手段Ｂのヒンジ機構Ｂ１を構成する枢支軸２８周りで倒伏揺動操作すると、収納ケース１０全体が、収納ケース１０の開口部１０ａが操作弁８の通路８ａに連通接続された連結状態から収納ケース１０の開口部１０ａが外部に臨む開放状態に切り替えられる。
【００３９】
その後、移動操作手段Ａのハンドル２２を回転操作して、収納ケース１０内に収納されていた可動保持枠１７を収納ケース１０の開口部１０ａから外部に抜き出し移動させたのち、可動保持枠１７の各ガイド溝１９から挾持枠１８を引き抜き、各挾持枠１８を構成する両枠体１８Ａ，１８Ｂを二つ折り姿勢から展開姿勢に切り替え操作して、装着されていたフィルター２を新しいフィルター２に取り替える。
【００４０】
従って、収納ケース１０を操作弁８に対して倒伏操作し、倒伏操作された収納ケース１０から可動保持枠１７を抜き出し移動させたのち、可動保持枠１７から挾持枠１８を引き抜き、この挾持枠１８を開き操作するだけであるから、フィルター２の取り換え作業を不断水で能率良く容易に行うことができる。
【００４１】
また、弁箱８Ｂの上面には、倒伏操作された収納ケース１０を開口部１０ａ側が高くなる先端下がりの傾斜姿勢で受け止め支持する支持台２９が設けられているとともに、収納ケース１０と操作弁８の弁箱８Ａとに亘って、開閉弁３５を備えたバイパス管３６が接続されている。
【００４２】
そして、収納ケース１０内の収納位置にある新しいフィルター２を管内の夾雑物除去作用位置に移動させる場合、操作弁８が閉止されている状態でバイパス管３６の開閉弁３５を開き操作すると、管内の上水の一部がバイパス管３６を通して収納ケース１０内に流入して、収納ケース１０内の圧力が管内の圧力と等しい又は略等しい圧力まで上昇するから、操作弁８の開き操作を少ない労力で容易に行うことができる。
【００４３】
〔その他の実施形態〕
（１）上述の第１実施形態では、収納ケース１０の一端側（下端側）での水平又はほぼ水平枢支軸芯周りでの起伏揺動により、収納ケース１０の一端（下端）側に形成された開口部１０ａが操作弁８の通路８ａに連通接続された連結状態と、収納ケース１０の開口部１０ａを通してフィルター２を外部に抜き出し可能な開放状態に切り替え自在に構成したが、収納ケース１０の上下中間位置での枢支軸芯周りでの起伏揺動により、収納ケース１０を連結状態と開放状態に切り替え自在に構成してもよい。
【００４４】
（２）上述の第１実施形態では、移動操作手段Ａとして、ネジ軸２３を備えたネジ機構から構成したが、流体圧シリンダ等のアクチュエーターから構成してもよい。
【００４５】
（３）上述の第１実施形態では、可動保持枠１７に、フィルター２を脱着自在に挾持保持する挾持枠１８の二枚を抜き差し自在に装着したが、一枚又は三枚以上の挾持枠１８を可動保持枠１７に抜き差し自在に装着してもよい。
【００４６】
（４）上述の第１実施形態では、可動保持枠１７に形成したガイド溝１８に対して挾持枠１８を抜き差し自在に装着したが、可動保持枠１７に対して挾持枠１８を簡単な操作で脱着自在に保持できるものであれば、如何なる構造を採用してもよい。
【００４７】
（５）上述の第１実施形態では、収納ケース１０の一端側（下端側）の開口部１０ａを操作弁８の通路８ａに連通接続した状態で固定する固定操作機構Ｂ２を、複数の水平又はほぼ水平姿勢の固定ボルト３１から構成したが、この構成に限定されるものではなく、収納ケース１０の開口部１０ａを操作弁８の通路８ａに連通接続した状態で着脱自在に固定することのできるものであれば、如何なる構造を採用してもよい。
【００４８】
（６）上述の第１実施形態では、フィルター２を脱着自在に挾持保持する挾持枠１８と、この挾持枠１８を脱着自在に保持する可動保持枠１７とを用いて、フィルター２を夾雑物除去作用位置と収納ケース１０内の収納位置とに亘って切り替え移動させるように構成したが、この構成に限定されるものではなく、操作弁８の通路８ａ及び接続筒部７Ａの開口７ａを通して、フィルター２を夾雑物除去作用位置と収納位置とに亘って切り替え移動させることのできるものであれば、如何なる構造を採用してもよい。
また、フィルター２としても、流体管内を流動する流体中の夾雑物を除去することのできるものであれば、如何なる材質、形状、構造のものを用いてもよい。
【００４９】
（７）上述の第１実施形態では、収納ケース１０と操作弁８の弁箱８Ａとに亘って、開閉弁３５を備えたバイパス管３６を接続したが、この開閉弁３５を備えたバイパス管３６を、収納ケース１０と処理管５の除去処理筒体７とに亘って接続してもよい。
【図面の簡単な説明】
【００５０】
【図１】本発明の流体管用夾雑物除去装置の第１実施形態を示し、フィルターが夾雑物除去作用位置あるときの断面側面図
【図２】フィルターが収納位置あるときの断面側面図
【図３】収納ケースを倒伏させたときの断面側面図
【図４】夾雑物除去装置全体の断面正面図
【図５】要部の斜視図
【図６】挾持枠の展開姿勢を示す平面図
【符号の説明】
【００５１】
Ａ        移動操作手段
Ｂ        脱着操作手段
Ｂ１      ヒンジ機構
Ｂ２      固定操作機構
Ｃ        堆積物排出手段
Ｄ        ガイド手段
Ｘ        管軸芯
Ｙ        筒軸新
１        流体管（水道管）
２        フィルター
５        処理管
６        夾雑物除去室
７        除去処理筒体
７Ａ      接続筒部（上方側接続筒部）
７ａ      開口
８        操作弁
８ａ      通路
１０      収納ケース
１０ａ    開口部
１７      可動保持枠
１８      挾持枠
１９      ガイド溝
２３      ネジ軸
２４      雌ネジ部材
２５      空間
３５      開閉弁
３６      バイパス管
【図１】
2005083490.tif 000003
【図２】
2005083490.tif 000004
【図３】
2005083490.tif 000005
【図４】
2005083490.tif 000006
【図５】
2005083490.tif 000007
【図６】
2005083490.tif 000008